【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
情報処理装置と表示装置と記録装置とからなる表示システムであって、
前記情報処理装置は、第１の表示手段と、前記第１の表示手段に表示する画像を前記表示装置に送信する第１の通信手段とを有し、
前記表示装置は、前記情報処理装置の第１の通信手段より送信された画像を受信する第２の通信手段と、前記第２の受信手段により受信された画像を表示する第２の表示手段とを有し、
前記記録装置は、複数のコンテンツを有する記録媒体を有し、
前記第２の表示手段は、前記第２の受信手段により受信された画像を表示しているときに、前記表示装置により前記記録手段に記録されたコンテンツの一覧を要求する指示がなされたことに応じて、前記コンテンツの一覧を示す情報を表示しないようにすることを特徴とする表示システム。
【請求項２】
前記第２の表示手段は、前記第２の受信手段により受信された画像を表示しているときに、前記表示装置により前記記録手段に記録されたコンテンツの一覧を要求する指示がなされたことに応じて、画像の表示を停止することを特徴とする請求項１記載の表示システム。
【請求項３】
前記第２の表示手段は、前記第２の受信手段により受信された画像を表示しているときに、前記表示装置により前記記録手段に記録されたコンテンツの一覧を要求する指示がなされたことに応じて、前記第２の受信手段により受信された画像以外の画像を表示することを特徴とする請求項１記載の表示システム。
【請求項４】
前記第２の表示手段は、前記第２の受信手段により受信された画像を表示しているときに、前記表示装置により前記記録手段に記録されたコンテンツの一覧を要求する指示がなされたことに応じて、新たに前記第２の受信手段により受信された画像を表示しないようにすることを特徴とする請求項１記載の表示システム。
【請求項５】
情報処理装置と表示装置と記録装置とからなる表示システムであって、
前記情報処理装置は、第１の表示手段と、前記第１の表示手段に表示する画像を前記表示装置に送信する第１の通信手段とを有し、
前記表示装置は、前記情報処理装置の第１の通信手段より送信された画像を受信する第２の通信手段と、前記第２の受信手段により受信された画像を表示する第２の表示手段とを有し、
前記記録装置は、複数のコンテンツを有する記録媒体を有し、
前記第２の表示手段は、前記第２の受信手段により受信された画像を表示しているときに、前記表示装置により前記記録手段に記録されたコンテンツの一覧を要求する指示がなされたことに応じて、前記第２の受信手段により受信された画像のうち前記コンテンツの一覧を示す情報に対応する画像を視認されにくく加工して表示することを特徴とする表示システム。
【請求項６】
前記第２の表示手段は、前記第２の受信手段により受信された画像を表示しているときに、前記表示装置により前記記録手段に記録されたコンテンツの一覧を要求する指示がなされたことに応じて、前記第２の受信手段により受信された画像のうち前記コンテンツの一覧を示す情報に対応する画像に対して、ぼかし処理またはモザイク処理または塗りつぶし処理を含む複数の加工処理のうちいずれかの加工を施して表示する請求項５記載の表示システム。
【請求項７】
前記第２の表示手段は、前記第２の受信手段により受信された画像を表示しているときに、前記表示装置により前記記録手段に記録されたコンテンツの一覧を要求する指示がなされたことに応じて、所定のメッセージを含む画像を表示することを特徴とする請求項１から６のいずれか１項に記載の表示システム。
【請求項８】
前記第２の表示手段は、前記第２の受信手段により受信された画像に前記コンテンツの一覧を示す情報が含まれなくなったことに応じて、前記第２の受信手段により受信された画像の表示を再開することを特徴とする請求項１から７のいずれか１項に記載の表示システム。
【請求項９】
記録手段から所定の情報を取得することができる外部装置より送信された画像を受信する受信手段と、
前記受信手段により受信された画像を表示する表示手段とを有し、
前記表示手段は、前記受信手段により受信された画像を表示しているときに、前記外部装置が前記記録手段に記録されたコンテンツの一覧を要求する指示をしたことに応じて、前記コンテンツの一覧を示す情報を表示しないようにすることを特徴とする表示装置。
【請求項１０】
前記表示手段は、前記受信手段により受信された画像を表示しているときに、前記外部装置が前記記録手段に記録されたコンテンツの一覧を要求する指示をしたことに応じて、画像の表示を停止することを特徴とする請求項９記載の表示装置。
【請求項１１】
前記表示手段は、前記受信手段により受信された画像を表示しているときに、前記外部装置が前記記録手段に記録されたコンテンツの一覧を要求する指示をしたことに応じて、前記受信手段により受信された画像以外の画像を表示することを特徴とする請求項９記載の表示装置。
【請求項１２】
前記表示手段は、前記受信手段により受信された画像を表示しているときに、前記外部装置が前記記録手段に記録されたコンテンツの一覧を要求する指示をしたことに応じて、新たに前記受信手段により受信された画像を表示しないようにすることを特徴とする請求項９記載の表示装置。
【請求項１３】
記録手段から所定の情報を取得することができる外部装置より送信された画像を受信する受信手段と、
前記受信手段により受信された画像を表示する表示手段とを有し、
前記表示手段は、前記受信手段により受信された画像を表示しているときに、前記外部装置が前記記録手段に記録されたコンテンツの一覧を要求する指示をしたことに応じて、前記受信手段により受信された画像のうち前記コンテンツの一覧を示す情報に対応する画像を視認されにくく加工して表示することを特徴とする表示装置。
【請求項１４】
前記表示手段は、前記受信手段により受信された画像を表示しているときに、前記外部装置が前記記録手段に記録されたコンテンツの一覧を要求する指示をしたことに応じて、前記受信手段により受信された画像のうち前記コンテンツの一覧を示す情報に対応する画像に対して、ぼかし処理またはモザイク処理または塗りつぶし処理を含む複数の加工処理のうちいずれかの加工を施して表示することを特徴とする請求項１３記載の表示装置。
【請求項１５】
前記表示手段は、前記受信手段により受信された画像を表示しているときに、前記外部装置が前記記録手段に記録されたコンテンツの一覧を要求する指示をしたことに応じて、所定のメッセージを含む画像を表示することを特徴とする請求項９から１４のいずれか１項に記載の表示装置。
【請求項１６】
前記表示手段は、前記受信手段により受信された画像に前記コンテンツの一覧を示す情報が含まれなくなったことに応じて、前記受信手段により受信された画像の表示を再開することを特徴とする請求項９から１５のいずれか１項に記載の表示装置。
【手続補正２】
【補正対象書類名】明細書
【補正対象項目名】発明の名称
【補正方法】変更
【補正の内容】
【発明の名称】表示システム及び表示装置
【手続補正３】
【補正対象書類名】明細書
【補正対象項目名】０００１
【補正方法】変更
【補正の内容】
【０００１】
本発明は、表示システム及び表示装置に関する。
【手続補正４】
【補正対象書類名】明細書
【補正対象項目名】００１０
【補正方法】変更
【補正の内容】
【００１０】
上記課題を解決するために、本発明の表示システムは、情報処理装置と表示装置と記録装置とからなる表示システムであって、
前記情報処理装置は、第１の表示手段と、前記第１の表示手段に表示する画像を前記表示装置に送信する第１の通信手段とを有し、
前記表示装置は、前記情報処理装置の第１の通信手段より送信された画像を受信する第２の通信手段と、前記第２の受信手段により受信された画像を表示する第２の表示手段とを有し、
前記記録装置は、複数のコンテンツを有する記録媒体を有し、
前記第２の表示手段は、前記第２の受信手段により受信された画像を表示しているときに、前記表示装置により前記記録手段に記録されたコンテンツの一覧を要求する指示がなされたことに応じて、前記コンテンツの一覧を示す情報を表示しないようにすることを特徴とする。